(57)【要約】【課題】加工後の髪色を考慮して画像を処理し、髪色によらず好ましい画像を作成することができる髪色処理方法を提供する。【解決手段】画像において毛髪を示す毛髪領域に着色する髪色処理方法を、毛髪領域に対して着色される指定色の指定を受け付ける指定色受付工程（ステップＳ１０２）と、色指定受付工程において指定された指定色を、画像における毛髪領域の色である下地色と合成する画像加工工程と、によって行い、画像加工工程においては、指定色の色相に応じて下地色に対する指定色の合成割合を変更する。【選択図】図１
2020199009.tif 000002
【特許請求の範囲】
【請求項１】
画像において毛髪を示す毛髪領域に着色する髪色処理方法であって、
前記毛髪領域に対して着色される指定色の指定を受け付ける色指定受付工程と、
前記色指定受付工程において指定された前記指定色を、前記画像における前記毛髪領域の色である下地色と合成する合成工程と、を含み、
前記合成工程においては、前記指定色の色相に応じて前記下地色に対する前記指定色の合成割合を変更する、髪色処理方法。
【請求項２】
前記合成工程においては、前記指定色を前記下地色に合成した場合に前記指定色が視認される最小の前記合成割合である最小合成割合に基づいて前記合成割合を決定する、請求項１に記載の髪色処理方法。
【請求項３】
前記合成工程においては、前記最小合成割合が小さいほど前記合成割合を小さくする、請求項２に記載の髪色処理方法。
【請求項４】
前記合成工程においては、前記指定色の色相によらず、前記最小合成割合と前記合成割合の差分を統一する、請求項２または３に記載の髪色処理方法。
【請求項５】
前記合成工程においては、前記指定色の色相によらず、前記最小合成割合に対する前記合成割合の比を統一する、請求項２または３に記載の髪色処理方法。
【請求項６】
前記合成工程においては、前記指定色の色相が緑である場合に前記指定色の色相が赤である場合よりも前記合成割合を小さくする、請求項１から５のいずれか一項に記載の髪色処理方法。
【請求項７】
前記色指定受付工程においては、毛髪の着色に使用される染毛剤を特定する情報により前記指定色の指定を受け付ける、請求項１から６のいずれか一項に記載の髪色処理方法。
【請求項８】
前記合成工程において行われる前記指定色の合成の前記合成割合の大小の指定を受け付ける合成割合指定受付工程をさらに含む、請求項１から７のいずれか一項に記載の髪色処理方法。
【請求項９】
画像において毛髪を示す毛髪領域に着色する髪色処理装置であって、
前記毛髪領域に対して着色される指定色の指定を受け付ける色指定受付部と、
前記色指定受付部において指定された前記指定色を、前記画像における前記毛髪領域の色である下地色と合成する合成部と、を備え、
前記合成部は、前記指定色の色相に応じて前記下地色に対する前記指定色の合成割合を変更する、髪色処理装置。
【請求項１０】
画像において毛髪を示す毛髪領域に着色する髪色処理プログラムであって、
コンピュータに、
前記毛髪領域に対して着色される指定色を、前記画像における前記毛髪領域の色である下地色と合成する合成機能を実現させ、
前記合成機能は、前記指定色の色相に応じて前記下地色に対する前記指定色の合成割合を変更する、髪色処理プログラム。
【発明の詳細な説明】
【技術分野】
【０００１】
本発明は、髪色処理方法、髪色処理装置及び髪色処理プログラムに関する。
【背景技術】
【０００２】
現在、撮影された顔画像を加工するアプリケーションが多数実用化されている。このようなアプリケーションの公知例は、例えば、特許文献１、非特許文献１に記載されている。特許文献１に記載の画像プリント作成装置は、利用者が化粧入力を行い、予め決定された画像処理方法により化粧入力に対応する化粧画像データを作成する。そして、撮影画像データと化粧画像データとを合成して合成画像データを作成するものである。
また、非特許文献１に開示されたアプリケーションは、端末装置の画面に表示されるアイコンを使って所望の髪色を選択し、画面に表示されている人物画像の髪の少なくとも一部を選択された色により着色することができる。
【０００３】
このような画像処理装置やアプリケーションは、所望の髪色に画像を加工した加工画像を作成し、実際に染毛等する場合の髪色を決定するためのシミュレーションに利用することができる。また、このような画像処理装置やアプリケーションは、実際に染毛することなく様々な髪色の加工画像を作成し、ＳＮＳ（Social Networking Service）等に提供することができる。
髪色決定のシミュレーション、ＳＮＳ画像の作成のいずれにあっても、加工画像には他者にとって好ましい印象を与えることが求められる。ここでいう「好ましい」とは、加工画像を見た人間が加工画像に不自然さを感じる、あるいは違和感を持つことがなく、美しいと感じることを指すものとする。
【先行技術文献】
【特許文献】
【０００４】
【特許文献１】特開２０００−６９４０４号公報
【非特許文献】
【０００５】
【非特許文献１】えりなっち、２０１８年７月２７日、「カラコン・髪色を変える！自撮りカメラアプリまとめ、気になる色も加工なら無料で試せちゃう」、＜https://apptopi.jp/2018/07/27/haircolor-colorcontact-app/＞、２０１９年３月２８日アクセス
【発明の概要】
【発明が解決しようとする課題】
【０００６】
ところで、哺乳類は、色素細胞としてメラニンを産生するメラノサイトだけを持つ。メラノサイトの多くは表皮に分布し、細胞内のメラノソームという特異的な細胞小器官でメラニン合成が行われる。メラニン沈着が進んだメラノソームは細胞内に留まらずに角化細胞(ケラチノサイト)に移送され、皮膚や毛の色を決めている。メラニン色素はユーメラニン(黒色から黒褐色)と、フェオメラニン(赤褐色から黄色)に分けられる。日本人等の東洋人の体毛はユーメラニンによるもので、北欧人の体毛はフェオメラニンによるものである（大島範子，2003，「硬骨魚類における色素胞とその運動制御の仕組み」，『比較生理生化学』2003年 Vol20 No3,p131-p139）。このことから、人は髪色について上記のメラニン色素により発現し得ない色に対しては黒色や赤褐色等の色よりも高い感度を有していて、僅かであっても着色に気がつくようになる。
しかしながら、上記の特許文献１及び非特許文献１には、画像の加工処理に加工後の髪の色を考慮することが一切記載されていない。このため、特許文献１に記載の画像プリント作成装置、あるいは非特許文献１のアプリケーションを使用して加工画像を作成すると、髪色によっては加工後の画像に違和感を覚え、画像の美観を損なうことがある。
本発明は、上記の点に鑑みてなされたものであり、加工後の髪色を考慮して画像を処理し、髪色によらず好ましい画像を作成することができる髪色処理方法、髪色処理装置及び髪色処理プログラムに関する。
【課題を解決するための手段】
【０００７】
本発明の髪色処理方法は、画像において毛髪を示す毛髪領域に着色する髪色処理方法であって、前記毛髪領域に対して着色される指定色の指定を受け付ける色指定受付工程と、前記色指定受付工程において指定された前記指定色を、前記画像における前記毛髪領域の色である下地色と合成する合成工程と、を含み、前記合成工程においては、前記指定色の色相に応じて前記下地色に対する前記指定色の合成割合を変更する。
【発明の効果】
【０００８】
本発明は、加工後の髪色を考慮して画像を処理し、髪色によらず好ましい画像を作成することができる髪色処理方法、髪色処理装置及び髪色処理プログラムを提供することができる。
【図面の簡単な説明】
【０００９】
【図１】本発明の一実施形態の画像処理方法を説明するためのフローチャートである。
【図２】図１のフローチャートに示す髪色処理方法を実行する髪色処理装置の機能ブロック図である。
【図３】図２に示す受付部を説明するための図である。
【図４】指定色の色相に応じた色合成割合を決定するための方法を説明するための図である。
【図５】指定色の色相と最小合成割合との関係を説明するための図である。
【図６】（ａ）から（ｅ）は、指定色の色相と最小合成割合との関係を複数通りの彩度及び明度の組み合わせについて示す図である。
【発明を実施するための形態】
【００１０】
以下、本発明の一実施形態を図面と共に説明する。なお、本実施形態の図面は、いずれも本発明の技術思想、構成及び動作を説明するためのものであり、その構成を具体的に限定するものではない。
［髪色処理方法］
図１は、本実施形態の髪色処理方法を説明するためのフローチャートである。本実施形態は、画像において毛髪を示す領域に着色する髪色処理方法である。ここで、画像とは、画像の濃度を示す画素値と、この画素値の位置座標とを組み合わせたデータ（以下、「画像データ」とも記す）をいい、画像データの出力先は紙媒体であってもディスプレイ画面であってもよい。画像が複数の色成分で構成される場合、画素値は色成分ごとに定められる。
【００１１】
毛髪は、頭髪（以下、単に「髪」とも記す）及び体毛を含む。また、毛髪は、人の毛髪に限定されず、動物の体毛や羽毛をも含む。上記の領域は、領域の長手方向の長さと、この長手方向と直交する方向の長さ（以下、「幅」とも記す）とにより指定される。領域の幅は、例えば、予め設定されている複数の幅から少なくとも一つを選択することによって指定することができる。また、領域の長さは、画像上で指定された線に基づいて決定される。領域は、このような幅と長さとによって決定される閉領域を指す。本実施形態は、このような領域を着色対象とするものであるから、以降この領域を「着色領域」と記す。
ただし、本実施形態は、着色領域の幅を予め設定する構成に限定されるものではない。着色領域の幅は、例えば、ディスプレイ画面に表示された画像に接する圧力を公知の技術によって検出し、圧力の大きさに比例して決定するようにしてもよい。また、本実施形態は、画像に指やペン等によって接触することにより線を指定する場合、画像に接触した幅方向の長さを着色領域の幅としてもよいし、接触した幅方向の長さに予め設定されている所定の長さをプラスした、あるいはマイナスした長さを着色領域の幅としてもよい。
【００１２】
さらに、本実施形態は、着色領域の長さを点によって指定することも可能である。着色領域の長さを点により指定する場合、着色領域の始点と終点とを指定するものであってもよいし、毛髪の流れに沿う複数の互いに離間した点を指定するものであってもよい。
指定色は、髪色処理方法により髪色を変化させる操作者が指定した色をいう。色の指定は、操作者が任意に指定した色であっても良いし、予め設定されている複数の色から指定するものであってもよい。
以上の条件の下、本実施形態は、人の髪色を処理の対象にし、ペンを画像に接触させながら移動させることによって着色領域の長さを指定し、着色領域の幅を予め設定された複数の幅の中から選択する例を挙げて髪色処理方法、髪色処理装置及び髪色処理プログラムを説明する。
【００１３】
図１に示すように、本実施形態の髪色処理方法は、処理の対象となる画像を取り込む画像取込み工程（ステップＳ１０１）と、毛髪領域に対して着色される指定色の指定を受け付ける色指定受付工程（ステップＳ１０２）と、色指定受付工程において指定された指定色を、画像における毛髪領域の色である下地色と合成する合成工程（ステップＳ１０４、１０５）と、を含んでいる。そして、合成工程は、指定色の色相に応じて下地色に対する指定色の合成割合を変更するよう処理をする。
【００１４】
上記において、「毛髪領域」は、画像において毛髪を示す領域をいい、本実施形態では頭髪を示す領域を指している。「着色」は、指定された指定色を下地の色（下地色）に合成することをいい、合成は、画像処理によって下地色の画素を下地色と指定色との中間の色（確定色）にする処理をいう。「合成割合」は、確定色における指定色の割合を示す。
【００１５】
画像取込み工程は、髪色を処理する対象者の画像を取り込む工程である。色指定受付工程は、髪色処理装置を操作する操作者により指定された指定色の入力を受付ける工程である。
合成工程は、色合成割合設定工程（ステップＳ１０４）と、画像加工工程（ステップＳ１０５）と、を含んでいる。また、合成工程においては、ステップＳ１０５の終了後、ステップＳ１０２において受付けた指定色以外の色を使った処理を行うか否かを判断し（ステップＳ１０６）、他の色により髪色を処理する場合には（ステップＳ１０６：Ｙｅｓ）、再度ステップＳ１０２において指定色の指定を受付ける。
ステップＳ１０４の色合成割合設定工程は、操作者が受付部１０を操作して行う。髪色処理装置１は、設定された色合成割合にしたがって後の指定色の合成処理を実行する。
【００１６】
［髪色処理装置］
図２、図３は、図１のフローチャートに示す髪色処理方法を実行する髪色処理装置１を説明するための図である。図２は、髪色処理装置１の機能ブロック図である。図３は、図２に示す受付部１０を説明するための図である。
図２に示す髪色処理装置１は、画像において毛髪を示す毛髪領域に着色する髪色処理装置である。髪色処理装置１は、毛髪領域に対して着色される指定色の指定を受け付ける色指定受付部である受付部１０と、受付部１０において指定された指定色を、画像における毛髪領域の色である下地色と合成する合成部２０と、を備えている。合成部２０は、指定色の色相に応じて下地色に対する指定色の合成割合を変更する。このような処理を行うため、合成部２０は、色合成割合設定部２１、毛束抽出部２２及び画像加工部２３を有している。
合成部２０により着色された画像１２は、受付部１０のディスプレイ画面３０に表示される。
【００１７】
［髪色処理プログラム］
合成部２０は、画像において毛髪領域に指定色を着色する髪色処理装置に実行される髪色処理プログラムである。合成部２０は、コンピュータに、指定色を、画像１２における下地色と合成する合成機能を実現させ、この際に、指定色の色相に応じて下地色に対する指定色の合成割合を変更するよう処理している。
ここで、コンピュータは、ＣＰＵ（Central Processing Unit）、ＣＰＵの演算処理に使用されるメモリ、データの入出力に使用されるインターフェース等を備えて髪色処理プログラムを実行する演算装置であればどのようなものであってもよい。例えば、コンピュータに汎用的なパーソナルコンピュータを使用し、パーソナルコンピュータに合成部２０と共に画像処理用のプログラムをインストールして一体的な髪色処理装置１を構成することも可能である。本実施形態では、受付部１０として使用されるタブレット端末をコンピュータとして使用している。
以下、上記構成を順次説明する。
【００１８】
（受付部）
受付部１０は、図１の色指定受付工程（ステップＳ１０２）と、着色領域指定受付（ステップＳ１０３）工程を実行する。
図３に示すように、本実施形態の受付部１０は、ディスプレイ画面３０を有するタブレット端末装置として構成される。ディスプレイ画面３０は、画像１２を表示すると共に、ディスプレイ画面３０に接触するタッチペン３の範囲に基づいて画像１２上の着色領域の指定の入力を受付ける。また、受付部１０には髪に着色される指定色の指定を受付ける髪色選択パネル１３、着色の状態の選択を受付ける着色選択パネル１４、着色操作の選択を受付ける操作パネル１５が設けられている。
【００１９】
髪色選択パネル１３は複数の選択ボタン１３１を含み、複数の選択ボタン１３１には各々ナチュラルピンク（ＮＰ）、脱色（ＢＬＥＡＣＨ）といった色が割り当てられている。このような選択ボタン１３１は、いずれも画像１２の髪の部分に合成される指定色を指定するためのボタンである。髪色選択パネル１３はタッチパネルであり、選択ボタン１３１はタッチパネル上に表示されるアイコンであってもよい。また、本実施形態は、髪色選択パネル１３をタッチパッドとしてもよい。操作者は、選択ボタン１３１の中から所望の指定色に対応する選択ボタン１３１を選択する。
【００２０】
受付部１０は、赤、青といった色の名称により毛髪の着色（合成）に使用される色を受付けるものであってもよい。また、受付部１０は、染毛剤を特定する情報により指定色の指定を受け付けるものであってもよい。染毛材を特定する情報とは、例えば、染毛材の製品名に付されて色を表す「ダークブラウン」や「スノーホワイト」等の名称であってもよい。また、本実施形態は、選択ボタン１３１が指定色で表されるようにしてもよい。このようにすれば、操作者は選択ボタン１３１を見て指定色を直感的に選択することができる。
【００２１】
着色選択パネル１４は、着色を行う際のライン幅、ぼかしの程度及び色の濃度（彩度）の選択を受付けるため、複数の選択ボタン１４１を備えている。選択ボタン１４１は、ライン幅について細幅（Ｎａｒｒｏｗ）、中幅（Ｍｉｄｄｌｅ）、太幅（Ｗｉｄｅ）の選択に使用される。また、選択ボタン１４１は、ぼかし強度については低（Ｈａｒｄ）、中（Ｍｉｄｄｌｅ）、高（Ｓｏｆｔ）の選択に使用され、色の濃度については弱（Ｗｅａｋ）、中（Ｍｉｄｄｌｅ）、強（Ｓｔｒｏｎｇ）の選択に使用される。なお、本実施形態では、基本的にぼかし強度がライン幅に応じて決定される。ぼかし強度についての選択ボタン１４１は、ライン幅に応じて決定したぼかし強度を、さらに微調整することに使用される。選択ボタン１４１を設けることにより、本実施形態は、ライン幅に応じて大まかに決定されたぼかし強度をさらに個人の感性により好ましい状態にすることができる。
【００２２】
（着色領域）
着色領域は、画像１２上の二点と、この二点を始点及び終点とするラインの幅（ライン幅）とによって受け付けられる。ライン幅は、タッチペン３により一回に選択される着色領域の幅である。すなわち、本実施形態では、ラインを描画するようタッチペン３を動かして着色領域を指定するように操作者に推奨する。このとき、着色領域は、選択ボタン１４１によって選択された細幅、中幅、太幅のいずれかの幅を持ち、タッチペン３の軌跡に沿うラインの始点から終点までの長さを持つ領域として指定される。
【００２３】
さらに、操作パネル１５は、処理の取り消し（ＵＮＤＯ）や、やり直し（ＲＥＤＯ）といった操作の指示を受付ける。操作パネル１５には「ＵＮＤＯ」等の操作名が記されたタッチボンが設けられていて、所望の操作名にタッチすることによってディスプレイ画面３０に表示されている画像１２の着色に係る操作を入力することができる。
タブレット端末装置である受付部１０は、カメラ機能を備え、操作者が撮影した顔を含む画像１２をディスプレイ画面３０に表示するものであってもよいし、図示しないメモリ等に保存されている画像１２を読み出して表示するものであってもよい。さらに、受付部１０は、通信機能を有し、インターネット回線を通じて画像を取得してディスプレイ画面３０に表示するものであってもよい。操作者は、髪色選択パネル１３や着色選択パネル１４を操作してディスプレイ画面３０に表示された画像の着色領域に指定色を合成する。
【００２４】
（合成割合選択部）
色合成割合設定部２１は、図１の色合成割合を設定する工程（ステップＳ１０４）を実行する。
下地色に対して指定色を合成した結果、髪色は下地色と指定色の両方を含む確定色となる。色合成割合は、確定色における指定色の割合を表す指標である。下地色と指定色から確定色を決定する処理は、例えば、アルファブレンドと呼ばれる処理によって行われる。アルファブレンドによる確定色の算出は、以下の式（１）により行われる。なお、式（１）において、下地色、指定色、確定色は、いずれも１６進数のＷＥＢカラーコードによって表される。式（１）中のαは、色合成割合を決定する係数となる。本実施形態は、以下の式（１）のαの値を指定色の色相に応じて変更し、好ましい画像を形成するものである。
確定色＝下地色＋（指定色−下地色）×（α／２５５）・・・式（１）
【００２５】
図４は、指定色の色相に応じた色合成割合を決定するための方法を説明するための図である。本実施形態では、受付部１０として機能するタブレット端末装置において、色合成割合決定用のアプリケーションをインストールする。そして、アプリケーションを起動して色合成割合決定画面４を表示させる。色合成割合決定画面４は、ディスプレイ画面３０に表示された画像１２の毛髪領域に指定色を合成し、着色領域を確定色にするための処理を行うための画面である。このような処理は、下地色と指定色とから確定色を決定し、毛髪領域上の画素を確定色の画素に置き換えることによって行われる。
【００２６】
色合成割合決定画面４は、色確認画面４１３、色調整画面４１、α値決定画面４３、保存画面４５を含んでいる。色確認画面４１３は、髪色処理装置１の操作者が指定色を目視にて確認するための画面である。色調整画面４１は、操作者がスライダーボタン４１２を操作することによって指定色のＨ（色相）、Ｓ（彩度）、Ｖ（明度）、Ｒ（Red）、Ｇ（Green）、Ｂ（Blue）及びＬ（輝度）を各々独立して決定する画面である。また、各項目の変更は、スライダーボタン４１２の他、スクロールバー４１４を操作して小窓４１１に表示されている数字を変更することによっても可能である。操作者は、色調整画面４１により画像１２の毛髪領域に合成される指定色を調整する。指定色は、調整の過程で色確認画面４１３に表示され、操作者は表示された指定色を見ながら指定色をさらに調整することができる。調整の操作の終了により、指定色が決定する。
【００２７】
α値決定画面４３は、色合成強度のα値（Apply）を決定するための画面である。このような値の決定は、操作者がスライダーボタン４３２を操作することによって行われる。また、各値の決定は、スライダーボタン４３２の他、スクロールバー４３３を操作してα値決定画面４３に表示されている数字を変更することによっても可能である。
画像１２において着色領域を指定すると、色調整画面４１で決定した指定色が指定色に応じた色合成割合（α値）により着色領域に合成される。なお、本実施形態では、指定色の合成後、操作者が画像１２を視認しながら色合成割合を変更することができるようにしてもよい。
【００２８】
保存画面４５によれば、色調整画面４１、α値決定画面４３で決定した設定をフォルダにパレット名を付けて保存することができる。保存画面４５には、閉じるボタン４６、新規保存ボタン４７、上書き保存ボタン４８が表示される。
ただし、本実施形態は、受付部１０を使用して色合成割合決定画面４を表示させるものに限定されるものでなく、髪色処理装置１以外のパーソナルコンピュータ等によって色合成割合決定画面４を表示させ、色調整画面４１で指定色を設定して保存するようにしてもよい。このとき、保存された設定は、外部メモリやネットワークを介して受付部１０に読み込まれる。
このようにすれば、指定色の設定を色合成の都度行わず、髪色処理装置１の操作者以外の者が設定した指定色を読み出して使用することが可能になる。
【００２９】
次に、色相に応じた色合成割合を設定する方法を説明する。本実施形態では、髪色処理装置１の色合成割合設定部２１が色合成割合を設定する方法を説明するが、色合成割合の割合は他のコンピュータ等によって設定するものであってもよい。また、色合成割合の割合は、コンピュータによって行うことに限定されず、例えば、官能評価の評価者が、色合成割合が異なる複数の画像や毛髪を見ながら行うものであってもよい。さらに、色合成割合の設定は、色合成の度に行われるものであってもよいし、予め設定された色合成割合を指定色に対応つけて記憶させておき、色合成の実行に際して読み出すものであってもよい。
【００３０】
色合成割合設定部２１は、指定色を下地色に合成した場合に指定色が視認される最小の合成割合である最小合成割合に基づいて合成割合を決定する。このような処理のため、本実施形態の色合成割合設定工程は、指定色の色合成割合の大小の指定を受け付ける合成割合指定受付工程を含んでいる。
合成割合指定受付工程は、指定色の色相ごとに最小合成割合を決定する。最小合成割合の決定では、操作者が色調整画面４１により指定色の色相を変更させて複数の指定色を設定する。また、操作者は、指定色の色相ごとにα値決定画面４３のスライダーボタン４３２を操作する等してα値を調整する。α値の調整は、例えば、スライダーボタン４３２を操作してα値最大値にし、操作者が画像１２の着色領域を見ながらα値を次第に小さくすることにより行うことができる。合成割合指定受付工程では、ディスプレイ画面３０に表示された画像１２におけるα値を調整する。α値の調整は、例えば、先ず画像１２に合成される指定色のα値最大値にし、α値を次第に小さくする。このとき、操作者は、画像１２の着色領域を見ながら指定色の着色を視認したタイミングを色合成割合設定部２１に入力する。このような操作によれば、画像１２上で指定色が視認可能な状態から視認不可能な状態になる境界のα値を判定することができる。本実施形態では、境界となるα値を最小合成割合に決定する。決定した最小合成割合は、色合成割合設定部２１に保存されて以降の指定色の合成時に使用される。
【００３１】
図５は、指定色の色相と最小合成割合との関係を説明するための図である。図５の縦軸は最小合成割合を示し、横軸は色相環で色相を表した場合の角度を示している。図５において、プロットの別は下地色（０Ｔ、６−７Ｔ、７−９Ｔ、１５Ｔ）の違いを示している。なお、下地色は、ＮＰＯ法人日本ヘアカラー協会により提供されるカラーリングレベルレベルスケール（実用新案登録  登録  第３０８２３４４号）の基準により決定している。０Ｔ、６−７Ｔ、７−９Ｔ、１５Ｔのうち、０Ｔは黒色を示し、以降６−７Ｔ、７−９Ｔ、１５Ｔの順番で段階的に明るくなっている。プロット○は下地色が０Ｔであることを示している。プロット□は下地色が６−７Ｔであることを示し、プロット△は下地色が７−９Ｔであることを示し、プロット×は下地色が１５Ｔであることを示している。図５に示す最小合成割合は、色相ごとの最小合成割合のうちの最小値を１として規格化された相対的な値である。横軸の色相は、Ｓ（彩度）が５０、Ｖ（明度）が７０の場合のものである。
【００３２】
図５によれば、最小合成割合は、凡そ色相が１３０−１４０である場合、また凡そ色相が３００である場合に極小値（ボトム）をとることが分かる。また、色相が４０と２２５である場合に最小合成割合がピークを持つことが分かる。このような傾向は、下地色によらず見られるものである。最小合成割合が小さい色相は、色合成割合が相対的に小さくても人にとって視認が可能である。このような色相の色を頭髪に着色した場合、他の色を着色した場合よりも目だって他者に違和感を与えやすい。また、最小合成割合が大きい色相は、色合成割合を大きくしないと他者にとって視認が可能にならず、染毛の効果を得難い。
【００３３】
以上の点に考慮し、合成部２０は、色合成割合設定工程において、図５に示す最小合成割合が小さいほど合成割合を小さく設定する。つまり、本実施形態は、図５に示す曲線（最小合成割合曲線）を画像加工部２３に保存しておき、操作者が指定した指定色の色相に対応する最小合成割合に基づく色合成割合で指定色を下地色に合成する。
【００３４】
また、合成部２０は、上記の設定において、指定色の色相によらず最小合成割合と合成割合の差分を統一するようにしてもよい。すなわち、上記の「最小合成割合に基づく色合成割合」を、例えば、最小合成割合に対して色相によらず一定の合成割合を加算した値にしてもよい。このような合成割合は、図５に示す最小合成割合を、色相によらない一定の色合成割合だけ上方にシフトした値として求めることができる。このような処理は、本発明者らの実験により、最小合成割合を指定色の色相によらず一定の値だけ大きくした色合成割合による合成を行った場合に好ましい画像が得られるという結果を得たことによって行われる。また、このようにすれば、最小合成割合が小さいほど画像加工部２３において行われる指定色の合成の色合成割合を小さくすることができる。
【００３５】
さらに、本実施形態は、上記の態様に限定されるものではない。例えば、本実施形態は、色合成割合設定工程において、指定色の色相によらず、最小合成割合に対する色合成割合の比を統一するようにしてもよい。このような処理は、例えば、最小合成割合に、色相によらない予め定められた係数を乗じることによって色合成割合を定めることによって実現する。ただし、本実施形態は、上記に限定されるものでなく、最小合成割合に乗じられる係数を色相に応じて異なるようにしてもよい。さらに、本実施形態は、指定色のぼかしの程度や着色領域の大きさや形状に応じて最小合成割合に乗じられる係数を調整するようにしてもよい。
【００３６】
１３０−１４０の色相は緑、あるいは緑系統の色を示している。また、３００の色相は、紫、あるいは紫系統の色を示している。また、４０の色相は赤、あるいは赤系統の色を、２２５の色相は青、あるいは青系統の色を示している。このことから、本実施形態の髪色処理装置１は、画像加工部２３において、指定色の色相が緑である場合に指定色の色相が赤である場合よりも合成割合を小さくすることになる。
このような点は、先に説明したように、人は髪色についてユーメラニン及びフェオメラニンから発現しない緑色に違和感を持って高い感度で検知する一方、フェオメラニンから発現する赤や黒色に近い青色に対しては検知感度が低下することに対応している。
【００３７】
次に、ステップＳ１０５の画像加工工程では、毛束抽出部２２が着色領域中の画像１２の連続する画素を検出し、連続する画素により毛髪の束（毛束）の流れを検出する処理を行う。画像加工部２３は、色合成割合設定部２１、毛束抽出部２２の処理の結果に基づいて画像１２に着色するよう画像を加工する（ステップＳ１０５）。このとき、画像加工部２３は、抽出された毛束に沿って指定色を着色領域に合成する。
ここで、「毛束に沿う」とは、着色領域に確定色をぼかして着色する場合、毛束及び毛束の周囲に、その外側よりも確定色の画素を密集させて配置することを指す。このような処理により本実施形態は、あたかも実際の頭髪に沿って染料を塗布したような印象の画像１２を形成することができる。
【実施例】
【００３８】
図６（ａ）から図６（ｅ）は、以上説明した実施形態の実施例を説明するための図であって、指定色の色相と最小合成割合との関係を複数通りの彩度及び明度の組み合わせについて示している。図６の縦軸は最小合成割合を示し、横軸は色相環で色相を表した場合の角度を示している。プロットの別は下地色（０Ｔ、６−７Ｔ、７−９Ｔ、１５Ｔ）の違いを示し、プロット○は下地色が黒色であることを示している。各プロットが示す下地色は、プロット□、プロット△、プロット×の順で段階的に明るくなっている。図６に示す最小合成割合は、色相ごとの最小合成割合のうちの最小値を１として規格化された相対的な値である。図６（ａ）は彩度（Ｓ）が５０、明度（Ｖ）が１００の場合の例である。図６（ｂ）は彩度（Ｓ）が３０、明度（Ｖ）が７０、図６（ｃ）は彩度（Ｓ）が５０、明度（Ｖ）が７０、図６（ｄ）は彩度（Ｓ）が７０、明度（Ｖ）が７０、図６（ｄ）は彩度（Ｓ）が７０、明度（Ｖ）が７０、図６（ｅ）は彩度（Ｓ）が５０、明度（Ｖ）が４０の例をそれぞれ示している。
【００３９】
図６（ａ）から図６（ｅ）に示すように、本発明者の実験により、指定色の明度及び彩度によらず、最小合成割合曲線は二つのピークと二つのボトムを有し、ピークは赤系統の色と青系統の色とにおいて現れることが分かった。また、二つのボトムは、緑系統の色と紫系統の色とにおいて現れることが分かった。
また、図６（ａ）から図６（ｅ）によれば、上記傾向は下地色によらず一定であり、また、明度や彩度によって大きく変化するものではないことが分かる。さらに、図６（ｂ）及び図６（ｅ）に示すように、明度または彩度の低い比較的暗い指定色にあっては、特に下地色が黒色である場合に赤色に対する最小合成割合が大きくなって髪への着色が視認し難いことがわかった。
また、図６（ｄ）に示すように、指定色の明度及び彩度が高い場合、赤色及び青色の最小合成割合のピークがやや高まり、髪への着色が視認しがたくなることが分かる。さらに、図（ｂ）、図６（ｃ）、図６（ｄ）によれば、黒色の下地色に合成される赤色の最小合成割合は、指定色の明度が一定の条件下において、彩度が大きくなるにしたがって小さくなることが分かる。
【符号の説明】
【００４０】
１・・・髪色処理装置
３・・・タッチペン
４・・・色合成割合決定画面
１０・・・受付部
１２・・・画像
１３・・・髪色選択パネル
１４・・・着色選択パネル
１５・・・操作パネル
２０・・・合成部
２１・・・色合成割合設定部
２２・・・毛束抽出部
２３・・・画像加工部
３０・・・ディスプレイ画面
４１・・・色調整画面
４３・・・α値決定画面
４５・・・保存画面
４６・・・ボタン
４７・・・新規保存ボタン
４８・・・保存ボタン
１３１、１４１・・・選択ボタン
４１１、４３１・・・小窓
４１２、４３２・・・スライダーボタン
４１３・・・色確認画面
４１４、４３３・・・スクロールバー
【図１】
2020199009.tif 000003
【図２】
2020199009.tif 000004
【図３】
2020199009.tif 000005
【図４】
2020199009.tif 000006
【図５】
2020199009.tif 000007
【図６】
2020199009.tif 000008